(57)【要約】【課題】低コストで、精度よく水準器をレーザー墨出し器本体に取り付けることができる水準器の取り付け構造および取り付け方法を得る。【解決手段】レーザー墨出し器本体に形成された水準器埋め込み穴１２と、水準器埋め込み穴１２の内底部に充填された粘着材１７と、水準器埋め込み穴１２に落とし込まれ粘着材１７に底部が接している気泡式水準器２０と、気泡式水準器２０の両端とこれに対向する水準器埋め込み穴１２の壁面との間に生じている空間に充填された接着剤１８と、を備えている。水準器埋め込み穴１２の内底部中央部に支持突起１５を形成し、この支持突起の１５両側に粘着材１７が充填し、支持突起１５を支点としてかつ粘着材１７の塑性によって気泡式水準器２０の傾き調整を行なうようにするとよい。【選択図】図１
2008128985.tif 000002
【特許請求の範囲】
【請求項１】
レーザー墨出し器本体に形成された水準器埋め込み穴と、
水準器埋め込み穴の内底部に充填された粘着材と、
上記水準器埋め込み穴に落とし込まれ上記粘着材に底部が接している気泡式水準器と、
上記気泡式水準器の両端とこれに対向する上記水準器埋め込み穴の壁面との間に生じている空間に充填された接着剤と、を備えているレーザー墨出し器における水準器の取り付け構造。
【請求項２】
水準器埋め込み穴の内底部中央部に支持突起が形成されていて、この支持突起の両側に粘着材が充填され、上記支持突起を支点としてかつ粘着材の塑性によって気泡式水準器の傾き調整を可能とした請求項１記載のレーザー墨出し器における水準器の取り付け構造。
【請求項３】
粘着材は粘土質の材料からなる請求項１記載のレーザー墨出し器における水準器の取り付け構造。
【請求項４】
レーザー墨出し器本体に形成された水準器埋め込み穴の内底部に粘着材を充填し、
上記水準器埋め込み穴に気泡式水準器を落とし込んで気泡式水準器の底部を上記粘着材に接触させ、
上記粘着材の塑性を利用して気泡式水準器の傾きを調整し、
傾き調整済みの気泡式水準器の両端とこれに対向する上記水準器埋め込み穴の壁面との間に生じている空間に接着剤を充填し硬化させて気泡式水準器をレーザー墨出し器本体に固定することを特徴とするレーザー墨出し器における水準器の取り付け方法。
【請求項５】
水準器埋め込み穴の内底部中央部に形成された支持突起の両側に粘着材を充填し、上記支持突起を支点としてかつ粘着材の塑性によって気泡式水準器の傾きを調整する請求項４記載のレーザー墨出し器における水準器の取り付け方法。
【発明の詳細な説明】
【技術分野】
【０００１】
本発明は、レーザー墨出し器における水準器の取り付け構造および取り付け方法に関するもので、水準器を簡単な調整操作で精度よく取り付けることができるようにしたものである。
【背景技術】
【０００２】
建築現場などにおいて、墨出し用のレーザー光を、壁、天井、床などの投光対象面に投光するレーザー墨出し器が使用されている。レーザー墨出し器は、レーザー光源として一般に半導体レーザーが用いられている。半導体レーザーから出射されるレーザー光は拡散光であるため、これをコリメータレンズによってほぼ平行光束とし、これを円柱状のロッドレンズに透過させることにより一方向にのみ拡散させ、これを壁、天井、床などの投光対象面に投光して、レーザー光による鉛直線あるいは水平線を引くようになっている。
【０００３】
レーザー墨出し器を建築現場などで使用する場合、レーザー光を目標位置に高い精度で投光する必要があり、レーザー墨出し器の筐体の一部をなすベースが水平の姿勢をとるように調整してから使用する必要がある。そのためにレーザー墨出し器の筐体すなわちレーザー墨出し器本体の姿勢の基準となるベースやカバーなどに水準器が取り付けられている。例えば特許文献１記載の発明は、墨出し器の基台（ベース）上面に、二つの水準器を互いに直交する方向に向けて取り付けている。
【０００４】
しかし、レーザー墨出し器本体は一般に回転機構を備えていて、レーザー墨出し器を水平面内において回転させることができるようになっているので、その回転軸を基準として水準器を精度よく取り付ける必要がある。そのために、水準器の取り付け部に傾き調整機構を設け、組み立て調整時に、墨出し器本体に対する水準器の姿勢を調整し、使用時は、水準器が水平を示すように墨出し器の設置姿勢を調整するようにしたものもある。しかし、傾き調整機構を設けると、その分コスト高になるため、部品の仕上がり精度だけを頼りに水準器をベースなどに取り付け、水準器の傾き調整機構を備えていないローコストのレーザー墨出し器も多数存在する。水準器の傾き調整機構を備えていないレーザー墨出し器では、基準となる例えば本体のベースが水平の姿勢をとっているにもかかわらず、気泡式水準器の気泡位置がずれ、精度不良になる可能性がある。
【０００５】
水準器の傾き調整機構を備えているレーザー墨出し器においても、傾き調整機構の構造をなるべく簡単にしてコストの低減を図っている。図２に示す従来例はその一つである。図２において、符号５０はレーザー墨出し器の筐体の一部であるベースを示している。ベース５０は気泡式水準器２０を取り付けるための孔５１を有していて、この孔５１には、水準器２０を保持した水準器ホルダー６０の上端部がベース５０の下面側から挿入されている。水準器ホルダー６０は、気泡式水準器２０を受け入れて保持する凹陥部６１を有するとともに、外側の下部から対称形に突出した一対の突出部６２，６２を一体に有し、各突出部６２，６２にはこの突出部を厚さ方向（図２において上下方向）に貫いてねじ孔６３，６３が形成されている。これらのねじ孔６３，６３には、ベース５０に厚さ方向（上下方向）に形成された孔にベース５０の上側から挿入された調整ねじ５５，５５がねじ込まれている。調整ねじ５５，５５の外周には、ベース５０の下面と上記各突出部６２，６２の上面との間に、付勢部材としての圧縮コイルばね５８，５８が嵌められている。圧縮コイルばね５８，５８の付勢力により、水準器ホルダー６０はベース５０の下面から遠ざかる向きに、したがって図２において下方に移動する向きに付勢されている。
【０００６】
一対の上記調整ねじ５５，５５の一方を締め付けると水準器ホルダー６０の片方がバース６０に引き付けられて水準器ホルダー６０の姿勢が変わり、また、上記調整ねじの一方の締め付けを緩めると、圧縮コイルばね５８の付勢力によってベース５０の下面から遠ざかり、水準器ホルダー６０の姿勢が変わる。このように、一対の調整ねじ５５，５５の少なくとも一方を回転させることにより、水準器ホルダー６０の姿勢を調整し、レーザー墨出し器本体の姿勢の基準となるベース５０に対して、水準器２０が正しい姿勢になるように調整することができる。
【０００７】
レーザー墨出し器の分野ではないが、車両用前照灯にも水準器が備えられ、水準器を正しい姿勢で取り付けるための水準調整機構が備えられているものがある。例えば、特許文献２記載の発明はそのひとつで、水準器を保持した水準器架台の前端部に支点を、後端部に傾斜面を設け、この傾斜面に当たる調整ねじを設け、この調整ねじの位置を前後に調整することにより水準器の姿勢を調整するようになっている。
【０００８】
【特許文献１】実開平０４−１１８６１５号公報
【特許文献２】特開平０６−１２４６０１号公報
【発明の開示】
【発明が解決しようとする課題】
【０００９】
図２に示す従来の傾き調整機構によれば、水準器ホルダー、調整ねじ、付勢ばねなど多くの部品を必要とし、コスト高になる難点がある。特許文献２記載の発明も、支点と傾斜面を備えた水準器架台、水準器架台の傾斜面に当接させる調整ねじを必要とし、やはりコスト高になる難点がある。
【００１０】
本発明は、水準器を備えかつ水準器の傾き調整構造を備えているレーザー墨出し器において、低コストで、精度よく水準器をレーザー墨出し器本体に取り付けることができる水準器の取り付け構造および取り付け方法を提供することを目的とする。
【課題を解決するための手段】
【００１１】
本発明に係るレーザー墨出し器における水準器の取り付け構造は、レーザー墨出し器本体に形成された水準器埋め込み穴と、水準器埋め込み穴の内底部に充填された粘着材と、上記水準器埋め込み穴に落とし込まれ上記粘着材に底部が接している気泡式水準器と、気泡式水準器の両端とこれに対向する上記水準器埋め込み穴の壁面との間に生じている空間に充填された接着剤と、を備えていることを最も主要な特徴とする。
【００１２】
本発明に係るレーザー墨出し器における水準器の取り付け方法は、レーザー墨出し器本体に形成された水準器埋め込み穴の内底部に粘着材を充填し、上記水準器埋め込み穴に気泡式水準器を落とし込んで気泡式水準器の底部を上記粘着材に接触させ、この粘着材の塑性を利用して気泡式水準器の傾きを調整し、傾き調整済みの気泡式水準器の両端とこれに対向する上記水準器埋め込み穴の壁面との間に生じている空間に接着剤を充填し硬化させて気泡式水準器をレーザー墨出し器本体に固定することを特徴とする。
【発明の効果】
【００１３】
内底部に粘着材を充填して水準器埋め込み穴に気泡式水準器を埋め込み、気泡式水準器の底部が粘着材に接触している状態で気泡式水準器を傾ける。粘着材はその塑性によって変形しながら気泡式水準器が傾くとともに、気泡式水準器の姿勢が保たれる。気泡式水準器の姿勢を調整し、その姿勢が保たれている間に、気泡式水準器の両端とこれに対向する上記水準器埋め込み穴の壁面との間に生じている空間に接着剤を充填し硬化させることにより、気泡式水準器を正しい姿勢でレーザー墨出し器本体に固定することができる。調整ねじや付勢ばね、調整ねじを通す孔あるいはねじ孔などは不要であるから、部品コストの低廉化を図ることができる。また、気泡式水準器の姿勢調整に当たっては、気泡式水準器を粘着材の上に浮かした状態で行なうことができるため、調整作業が容易であり、組み立て、調整にかかるコストも安くなり、かつ、高い精度で気泡式水準器の姿勢を調整することができる利点がある。
【発明を実施するための最良の形態】
【００１４】
以下、本発明にかかるレーザー墨出し器における水準器の取り付け構造および取り付け方法の実施例について図１を参照しながら説明する。
図１において、符号１０はレーザー墨出し器の筐体の一部であるベースを示している。ベース１０は水準器取り付け部１１を有し、この水準器取り付け部１１には、気泡式水準器２０を埋め込んで取り付けるための有底の埋め込み穴１２が形成されている。埋め込み穴１２は、この埋め込み穴１２に埋め込む気泡式水準器２０サイズに対応したサイズになっているが、少なくとも長手方向の寸法は気泡式水準器２０の長手方向の寸法よりもいくらか大きくなっている。また、埋め込み穴１２の内定部の略中央には上方に向かって突出した支持突起１５がベース１０とともに一体に成形されている。
【００１５】
上記埋め込み穴１２の内定部には粘土状の素材からなる粘着材１７が充填されている。粘着材１７は上記支持突起１５を取り囲むようにして充填されている。上記埋め込み穴１２には気泡式水準器２０が埋め込まれ、気泡式水準器２０の底部中央部は上記支持突起１５の頂点に当接するとともに、気泡式水準器２０の底部が粘着材１７に接するようになっている。この支持突起１５を支点として気泡式水準器２０を傾けながら気泡式水準器２０の姿勢を調整することができる。粘着材１７は塑性を有しているため、気泡式水準器２０の傾き調整に応じて変形しながら気泡式水準器２０の傾き調整を許容し、また、傾き調整された気泡式水準器２０の姿勢を維持することができる。
【００１６】
上記埋め込み穴１２の長手方向両側の壁面と気泡式水準器２０の長手方向両端面との間には、気泡式水準器２０の傾き調整ができるように比較的小さな隙間が生じている。上記埋め込み穴１２の長手方向両端の上部は長手方向に拡大した拡大壁面１３となっていて、拡大壁面１３と埋め込み孔１２の下部との間には水平方向の段部１４が形成されている。この段部１４上には、気泡式水準器２０の長手方向両端面と上記埋め込み穴１２の上部両端を構成する上記拡大壁面１３との間に比較的大きな隙間を生じていて、この隙間には接着剤１８が充填され、接着剤１８が硬化することによって気泡式水準器２０がレーザー墨出し器本体の一部を構成するベース１０に一体に固定されている。ベース１０が水平の姿勢をとっているとき、気泡式水準器２０の気泡２０１が気泡式水準器２０の長手方向中心に位置するように、気泡式水準器２０の姿勢が調整され、その姿勢で接着剤１８により気泡式水準器２０がベース１０に固定されている。
【００１７】
以上、レーザー墨出し器における水準器の取り付け構造について説明したが、かかる水準器の取り付け構造のもとにおける水準器取り付け方法について説明する。まず、レーザー墨出し器本体の一部をなすベース１０に形成された水準器埋め込み穴１２の内底部に、支持突起１５の高さと略同じ高さになるように粘着材１７を充填する。次に、水準器埋め込み穴１２に気泡式水準器２０を落とし込んで気泡式水準器２０の底部を上記粘着材１７に接触させ、気泡式水準器２０が粘着材１７の上に浮いているような態様にする。この状態で、粘着材１７の塑性を利用して気泡式水準器２０の傾きを調整する。この実施例では、支持突起１５を支点として気泡式水準器２０を適宜の向きに傾かせて気泡式水準器２０が所定の姿勢になるように調整する。すなわち、ベース１０が水平の姿勢をとっているとき、気泡式水準器２０の気泡２０１が気泡式水準器２０の長手方向中心に位置するように調整する。粘着材１７の塑性によって気泡式水準器２０の姿勢が保たれているので、その姿勢で気泡式水準器２０の両端とこれに対向する上記水準器埋め込み穴１２の壁面、より正確には前記拡大壁面１３との間に生じている空間に接着剤１８を充填し、硬化させて気泡式水準器２０をベース１０に固定する。
【００１８】
以上説明した実施例によれば、粘着材１７の塑性を利用して気泡式水準器の姿勢を調整し、かつ、粘着材１７の塑性によって気泡式水準器の姿勢が保たれている間に、接着剤１８によって気泡式水準器２０をレーザー墨出し器本体に固定することができ、調整ねじや付勢ばね、調整ねじを通す孔あるいはねじ孔などは不要であるから、部品コストの低廉化を図ることができる。また、気泡式水準器２０の姿勢調整に当たっては、気泡式水準器を粘着材１７の上に浮かした状態で行なうことができるため、調整作業が容易であり、組み立て、調整にかかるコストも安くなり、かつ、高い精度で気泡式水準器２０の姿勢を調整することができる利点がある。
また、図示の実施例によれば、ベース１０に形成した埋め込み孔１２の内底部に形成した支持突起１５を支点として気泡式水準器２０の姿勢を調整することができるため、調整作業がより容易になる利点がある。
【００１９】
図示の実施例では、気泡式水準器２０がベース１０に固定されている状態で、気泡式水準器２０の上面がベース１０の上面から僅かに突出しているが、気泡式水準器２０の上面を外部から観察することができればよく、気泡式水準器２０の上面とベース１０の上面が同一面にあってもよいし、気泡式水準器２０の上面がベース１０の上面よりも窪んだ位置にあってもよい。埋め込み穴１２に段部１４を形成するか否かは任意である。
気泡式水準器２０はレーザー墨出し器本体であればどこに設置してもよく、図示の実施例のようにベース１０に設置することに限定されるものではない。例えば、レーザー墨出し器の内部構造を覆うカバーに設置してもよい。
レーザー墨出し器の内部構造は、従来知られている構造を採用すればよいので、内部構造の詳細な説明は省略した。
【図面の簡単な説明】
【００２０】
【図１】本発明に係るレーザー墨出し器における水準器の取り付け構造および取り付け方法の実施例を示す縦断面図である。
【図２】従来のレーザー墨出し器における水準器の取り付け構造の例を示す縦断面図である。
【符号の説明】
【００２１】
１０    墨出し器のベース
１１    水準器取り付け部
１２    埋め込み穴
１５    支持突起
１４    段部
１７    粘着材
１８    接着剤
２０    水準器
２０１    気泡
【図１】
2008128985.tif 000003
【図２】
2008128985.tif 000004